【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
Authenticationが規定されたWPC（Wireless Power Consortium）規格に対応した受電装置であって、
前記WPC規格で規定されたDigital Pingを送電装置から受けたことに基づいて、当該受電装置が前記Authenticationに対応しているかを示す情報を含む、前記WPC規格で規定されているConfigurationのパケットを、前記送電装置に送信する送信手段と、
前記送信手段が前記Configurationのパケットを送信した前記送電装置から無線で電力を受電する受電手段と、を有することを特徴とする受電装置。
【請求項２】
当該受電装置が前記Authenticationに対応している場合に、前記送信手段が前記Configurationのパケットを前記送電装置に送信した後に、前記Authenticationに関する処理を開始する認証手段をさらに有することを特徴とする請求項１に記載の受電装置。
【請求項３】
前記認証手段による前記Authenticationの結果に基づいて、前記WPC規格で規定されているGuaranteed Powerの交渉を前記送電装置と行う交渉手段をさらに有することを特徴とする請求項２に記載の受電装置。
【請求項４】
前記交渉手段は、前記Authenticationに失敗した場合は、前記Authenticationに成功した場合よりも、前記Guaranteed Powerを小さい値に制限するように交渉することができることを特徴とする請求項３に記載の受電装置。
【請求項５】
当該受電装置が前記Authenticationに対応している場合に、前記送電装置から送信された、前記WPC規格で規定されているPower Transmitter Capabilityのパケットに基づいて、前記送電装置が前記Authenticationに対応しているか否かを判断する判断手段をさらに有することを特徴とする請求項１又は２に記載の受電装置。
【請求項６】
当該受電装置が前記Authenticationに対応している場合に、前記Authenticationの要求に対する前記送電装置からの応答に基づいて、前記送電装置が前記Authenticationに対応しているか否かを判断する判断手段をさらに有することを特徴とする請求項１又は２に記載の受電装置。
【請求項７】
前記送電装置が前記Authenticationに対応しているか否かの前記判断手段による判断結果に基づいて、前記WPC規格で規定されているGuaranteed Powerの交渉を前記送電装置と行う交渉手段をさらに有することを特徴とする請求項５又は６に記載の受電装置。
【請求項８】
前記ConfigurationのパケットのBank2のbit6に、当該受電装置が前記Authenticationに対応しているかを示す情報が格納されることを特徴とする請求項１乃至７のいずれか１項に記載の受電装置。
【請求項９】
当該受電装置が前記Authenticationに対応していることを示す情報は「１」であり、当該受電装置が前記Authenticationに対応していないことを示す情報は「０」であることを特徴とする請求項１乃至８のいずれか１項に記載の受電装置。
【請求項１０】
前記Authenticationにおいて、前記送電装置と当該受電装置との間でやりとりされる第１のパケットと次の第２のパケットの間の第１の時間は、前記Guaranteed Powerの交渉において、前記送電装置と当該受電装置との間でやりとりされる第３のパケットと次の第４のパケットの間の第２の時間よりも長いことを特徴とする請求項３又は７に記載の受電装置。
【請求項１１】
前記第１のパケット又は前記第２のパケットは、前記WPC規格で規定されたGET_DIGESTS、GET_CERTIFICATE、CHALLENGEのいずれかに関するパケットであることを特徴とする請求項１０に記載の受電装置。
【請求項１２】
前記第３のパケット又は前記第４のパケットは、前記WPC規格で規定されたSpecific Requestに関するパケットであることを特徴とする請求項１０又は１１に記載の受電装置。
【請求項１３】
前記Authenticationは、送電装置と受電装置の間で装置の正当性を確認するための処理であることを特徴とする請求項１乃至１２のいずれか１項に記載の受電装置。
【請求項１４】
請求項１乃至１３のいずれか１項に記載の受電装置の少なくとも前記送信手段としてコンピュータを機能させるためのプログラム。
【請求項１５】
Authenticationが規定されたWPC（Wireless Power Consortium）規格に対応した送電装置であって、
受電装置からの要求に基づいて、当該送電装置が前記Authenticationに対応しているかを示す情報を含む、前記WPC規格で規定されているPower Transmitter Capabilityのパケットを前記受電装置に送信する送信手段と、
前記送信手段が前記Power Transmitter Capabilityのパケットを送信した前記受電装置に無線で電力を送電する送電手段と、を有することを特徴とする送電装置。
【請求項１６】
当該送電装置が前記Authenticationに対応している場合に、前記送信手段が前記Power Transmitter Capabilityのパケットを前記受電装置に送信した後に、前記受電装置と前記Authenticationに関する処理を開始する認証手段をさらに有することを特徴とする請求項１５に記載の送電装置。
【請求項１７】
前記認証手段による前記Authenticationの結果に基づいて、前記WPC規格で規定されているGuaranteed Powerの交渉を前記受電装置と行う交渉手段をさらに有することを特徴とする請求項１６に記載の送電装置。
【請求項１８】
前記交渉手段は、前記Authenticationに失敗した場合は、前記Authenticationに成功した場合よりも、前記Guaranteed Powerを小さい値に制限するように交渉することができることを特徴とする請求項１７に記載の送電装置。
【請求項１９】
当該送電装置が前記Authenticationに対応している場合に、前記受電装置から送信された、前記WPC規格で規定されているConfigurationのパケットに基づいて、前記受電装置が前記Authenticationに対応しているか否かを判断する判断手段をさらに有することを特徴とする請求項１５又は１６に記載の送電装置。
【請求項２０】
前記受電装置が前記Authenticationに対応しているか否かの前記判断手段による判断結果に基づいて、前記WPC規格で規定されているGuaranteed Powerの交渉を前記受電装置と行う交渉手段をさらに有することを特徴とする請求項１９に記載の送電装置。
【請求項２１】
前記Power Transmitter CapabilityのパケットのBank2のbit7からbit2のいずれかに、当該送電装置が前記Authenticationに対応しているかを示す情報が格納されることを特徴とする請求項１５乃至２０のいずれか１項に記載の送電装置。
【請求項２２】
当該送電装置が前記Authenticationに対応していることを示す情報は「１」であり、当該送電装置が前記Authenticationに対応していないことを示す情報は「０」であることを特徴とする請求項１５乃至２１のいずれか１項に記載の送電装置。
【請求項２３】
前記Authenticationにおいて、前記受電装置と当該送電装置との間でやりとりされる第１のパケットと次の第２のパケットの間の第１の時間は、前記Guaranteed Powerの交渉において、前記受電装置と当該送電装置との間でやりとりされる第３のパケットと次の第４のパケットの間の第２の時間よりも長いことを特徴とする請求項１７又は２０に記載の送電装置。
【請求項２４】
前記Authenticationは、送電装置と受電装置の間で装置の正当性を確認するための処理であることを特徴とする請求項１５乃至２３のいずれか１項に記載の送電装置。
【請求項２５】
請求項１５乃至２４のいずれか１項に記載の送電装置の少なくとも前記送信手段としてコンピュータを機能させるためのプログラム。
【請求項２６】
Authenticationが規定されたWPC（Wireless Power Consortium）規格に対応した受電装置の制御方法であって、
前記WPC規格で規定されたDigital Pingを送電装置から受けたことに基づいて、当該受電装置が前記Authenticationに対応しているかを示す情報を含む、前記WPC規格で規定されているConfigurationのパケットを前記送電装置に送信する送信工程と、
前記送信工程で前記Configurationのパケットを送信した前記送電装置から無線で電力を受電する受電工程と、を有することを特徴とする受電装置の制御方法。
【請求項２７】
当該受電装置が前記Authenticationに対応している場合に、前記送信工程で前記Configurationのパケットを前記送電装置に送信した後に、前記Authenticationに関する処理を開始する認証工程をさらに有することを特徴とする請求項２６に記載の受電装置の制御方法。
【請求項２８】
前記認証工程における前記Authenticationの結果に基づいて、前記WPC規格で規定されているGuaranteed Powerの交渉を前記送電装置と行う交渉工程をさらに有し、
前記Authenticationにおいて、前記送電装置と当該受電装置との間でやりとりされる第１のパケットと次の第２のパケットの間の第１の時間は、前記Guaranteed Powerの交渉において、前記送電装置と当該受電装置との間でやりとりされる第３のパケットと次の第４のパケットの間の第２の時間よりも長いことを特徴とする請求項２７に記載の受電装置の制御方法。
【請求項２９】
前記ConfigurationのパケットのBank2のbit6に、当該受電装置が前記Authenticationに対応しているかを示す情報が格納されることを特徴とする請求項２６乃至２８のいずれか１項に記載の受電装置の制御方法。
【請求項３０】
Authenticationが規定されたWPC（Wireless Power Consortium）規格に対応した送電装置の制御方法であって、
受電装置からの要求に基づいて、当該送電装置が前記Authenticationに対応しているかを示す情報を含む、前記WPC規格で規定されているPower Transmitter Capabilityのパケットを前記受電装置に送信する送信工程と、
前記送信工程で前記Power Transmitter Capabilityのパケットを送信した前記受電装置に無線で電力を送電する送電工程と、を有することを特徴とする送電装置の制御方法。
【請求項３１】
当該送電装置が前記Authenticationに対応している場合に、前記送信工程で前記Power Transmitter Capabilityのパケットを前記受電装置に送信した後に、前記受電装置と前記Authenticationに関する処理を開始する認証工程をさらに有することを特徴とする請求項３０に記載の送電装置の制御方法。
【請求項３２】
前記認証工程における前記Authenticationの結果に基づいて、前記WPC規格で規定されているGuaranteed Powerの交渉を前記受電装置と行う交渉工程をさらに有し、
前記Authenticationにおいて、前記受電装置と当該送電装置との間でやりとりされる第１のパケットと次の第２のパケットの間の第１の時間は、前記Guaranteed Powerの交渉において、前記受電装置と当該送電装置との間でやりとりされる第３のパケットと次の第４のパケットの間の第２の時間よりも長いことを特徴とする請求項３１に記載の送電装置の制御方法。
【請求項３３】
前記Power Transmitter CapabilityのパケットのBank2のbit7からbit2のいずれかに、当該送電装置が前記Authenticationに対応しているかを示す情報が格納されることを特徴とする請求項３０乃至３２のいずれか１項に記載の送電装置の制御方法。
【手続補正２】
【補正対象書類名】明細書
【補正対象項目名】０００６
【補正方法】変更
【補正の内容】
【０００６】
本発明は上記の課題に鑑みてなされたものであり、機器の正当性の認証を実施可能な無線電力伝送において、その認証の実行可否の判定の結果を有効に利用できるようにすることを目的とする。
【手続補正３】
【補正対象書類名】明細書
【補正対象項目名】０００７
【補正方法】変更
【補正の内容】
【０００７】
本発明の一態様による受電装置は、
Authenticationが規定されたWPC（Wireless Power Consortium）規格に対応した受電装置であって、
前記WPC規格で規定されたDigital Pingを送電装置から受けたことに基づいて、当該受電装置が前記Authenticationに対応しているかを示す情報を含む、前記WPC規格で規定されているConfigurationのパケットを、前記送電装置に送信する送信手段と、
前記送信手段が前記Configurationのパケットを送信した前記送電装置から無線で電力を受電する受電手段と、を有する。
【手続補正４】
【補正対象書類名】明細書
【補正対象項目名】０００８
【補正方法】変更
【補正の内容】
【０００８】
本発明によれば、機器の正当性の認証を実施可能な無線電力伝送において、その認証の実行可否の判定の結果を有効に利用できる。